(57)【要約】【課題】リストバンド２等によりロッカー装置１を利用できるようなロッカーシステムにおいて、簡単なシステム構成で、利用終了時の管理手間を省き、使い勝手をよくする。【解決手段】複数のロッカー装置１を信号線４でパーソナルコンピュータ３に接続し、パーソナルコンピュータ３からリセット信号のみを出力できるようにする。利用者がリストバンド２によりロッカー装置１と送受信し、リストバンド２のキーＩＤをロッカー装置１に登録する。ロッカー装置１のロッカーＩＤをリストバンド２に書き込む。ロッカー装置１でキーＩＤを照合してロッカーの施解錠の制御を行う。利用終了後、リストバンド２に書き込まれているロッカーＩＤによりパーソナルコンピュータ３でロッカー装置１を特定してリセット信号を出力し、ロッカー装置１の登録されているキーＩＤをクリアする。【選択図】図１
2006348502.tif 000002
【特許請求の範囲】
【請求項１】
外部からの信号を入力する信号入力部と、
携帯送受信手段との間で識別情報を送受信する送受信部と、
携帯送受信手段の識別情報を登録するための記憶手段と、
該記憶手段に登録された識別情報と前記送受信部で受信した前記携帯送受信手段の識別情報とを照合してロッカーボックスの施解錠を制御する制御部とを備え、
前記制御部が、リセット状態のときに前記送受信手段で前記携帯送受信手段の識別情報を受信すると、該識別情報を前記記憶手段に登録するとともに該制御部の固有の識別情報を前記携帯送受信手段に書き込み、さらに該制御部をリセット状態を解除し、前記信号入力部からリセット信号を入力すると、前記記憶手段に登録した識別情報をクリアするとともに該制御部をリセット状態とすることを特徴とするロッカー装置。
【請求項２】
請求項１のロッカー装置を複数備えるとともに、該複数のロッカー装置の前記信号入力部と信号線で接続した集中制御装置とを備え、
前記集中制御装置は、前記携帯送受信手段から該携帯送受信手段に書き込まれている前記制御部の固有の識別情報を読み取り、該識別情報に対応する制御部に対して前記リセット信号を出力することを特徴とするロッカーシステム。
【発明の詳細な説明】
【技術分野】
【０００１】
本発明は、スポーツ施設等で利用者が利用する貴重品ボックス等の集中管理型のロッカーシステムに関わり、カードやリストバンド等の携帯品を接近させることにより非接触でロッカーを解錠するロッカー装置及びロッカーシステムに関する。
【背景技術】
【０００２】
（従来技術−１）従来、この種のロッカーシステムにおいて、利用施設の下足ロッカーに下足を預け、そのキーをフロントに渡して利用手続きをし、フロントから手渡されるリストバンドを用いてロッカー装置の施錠及び解錠を行ってロッカーを利用するものがある。リストバンドはＩＣチップ等により送受信機を内蔵しており、そのリストバンドのＩＤコード（識別情報）を送信するとともに、ロッカー装置からのロッカー番号等の識別情報を記憶できるようになっている。そして、リストバンドをロッカー装置に近づけて非接触でＩＤコードやロッカー番号等の情報を送受信し、その後、そのリストバンドとロッカー装置との間でＩＤコードの認証を行って、ロッカー装置の解錠の制御を行う。
【０００３】
また、フロントでは、リストバンドの情報と利用者の情報とを対応付けてパーソナルコンピュータ等で管理しており、利用者はリストバンドの識別情報等により施設内の各種利用料等を仮精算することができ、施設の利用終了後にフロントにリストバンドを返却してその識別情報に基づいて精算する。
【０００４】
（従来技術−２）また、このようなフロント等に配置したパーソナルコンピュータ等の集中制御装置と複数のロッカー装置との間でオンラインでデータ通信を行うようなシステムが、例えば特開平１０−３０６６３７号公報（特許文献１）あるいは特開２００４−１３７７２０号公報（特許文献２）に開示されている。この特許文献１のものでは、ロッカー装置とリストバンドとのデータの授受を集中制御装置側で認識し、ロッカー装置の施解錠の制御や、各ロッカー装置のＩＤコードとリストバンドのＩＤコードとの対応付け等を集中制御装置側で管理し、集中管理を行うようにしている。
【特許文献１】特開平１０−３０６６３７号公報
【特許文献２】特開２００４−１３７７２０号公報
【発明の開示】
【発明が解決しようとする課題】
【０００５】
しかし、前記従来技術−１のものでは、利用者が精算し終えても、ロッカー装置には利用時のリストバンドのＩＤコードが登録されているので、利用が終了した場合、その登録されているＩＤコードを消去して初期状態に戻す必要がある。したがって、管理者が定期的に見回って、利用の済んだロッカー装置についてこのＩＤコードの消去等を行う必要があり、管理に手間がかかるという問題がある。
【０００６】
また、前記従来技術−２（特許文献１，２）のものでは、集中制御装置と各ロッカー装置との間でデータ通信を行うオンラインシステムを構築する必要があるので、設備に多大な費用がかかる等の問題がある。
【０００７】
本発明は、オンラインシステム等の構成を取らずに簡単な構成で、利用終了時の管理に手間がかからず使い勝手のよいロッカーシステムを提供することを課題とする。
【課題を解決するための手段】
【０００８】
請求項１のロッカー装置は、外部からの信号を入力する信号入力部と、携帯送受信手段との間で識別情報を送受信する送受信部と、携帯送受信手段の識別情報を登録するための記憶手段と、該記憶手段に登録された識別情報と前記送受信部で受信した前記携帯送受信手段の識別情報とを照合してロッカーボックスの施解錠を制御する制御部とを備え、前記制御部が、リセット状態のときに前記送受信手段で前記携帯送受信手段の識別情報を受信すると、該識別情報を前記記憶手段に登録するとともに該制御部の固有の識別情報を前記携帯送受信手段に書き込み、さらに該制御部をリセット状態を解除し、前記信号入力部からリセット信号を入力すると、前記記憶手段に登録した識別情報をクリアするとともに該制御部をリセット状態とすることを特徴とする。なお、以下の説明で、携帯送受信手段の識別情報を「キーＩＤ」、制御部の固有の識別情報を「ロッカーＩＤ」ともいう。
【０００９】
請求項１のロッカー装置において、初期状態でリセット状態としておくことで、携帯送受信手段からロッカー装置にキーＩＤを送信することで、ロッカー装置にキーＩＤが登録されるとともに、ロッカー装置のロッカーＩＤが携帯送受信手段に書き込まれる。ロッカー装置の利用時に、携帯送信手段からロッカー装置にキーＩＤが送信されると、ロッカー装置において受信したキーＩＤと登録されているキーＩＤを照合してロッカーボックスの施解錠が制御され、利用者がロッカーボックスを利用できる。そして、利用が終了した場合、例えばロッカー装置に接続されたパーソナルコンピュータ等の集中制御装置からリセット信号を出力することにより、ロッカー装置は初期状態に戻り、そのまま任意の携帯送信手段で当該ロッカー装置を再度利用可能となる。また、このロッカー装置を初期状態に戻すために、単にリセット信号を受信する構成でよいので、集中制御装置との接続が簡単な配線だけで良く、設置コストも低減することができる。
【００１０】
請求項２のロッカーシステムは、請求項１の複数のロッカー装置と、該複数のロッカー装置の前記信号入力部と信号線で接続した集中制御装置とを備え、前記集中制御装置は、前記携帯送受信手段から該携帯送受信手段に書き込まれている前記制御部の固有の識別情報を読み取り、該識別情報に対応する制御部に対して前記リセット信号を出力することを特徴とする。
【００１１】
請求項２のロッカーシステムによれば、請求項１と同様な作用効果が得られ、さらに、フロント等の管理者が、利用者が返却した携帯送受信手段からロッカーＩＤを読み取るだけで、その利用を終了したロッカー装置が自動的に初期状態となるので、使い勝手がきわめてよくなる。
【発明の効果】
【００１２】
請求項１のロッカー装置によれば、オンラインシステム等の構成を取らずに簡単な構成とすることができるとともに、利用終了時の管理に手間をかけずに当該ロッカー装置を再度利用することができる。
【００１３】
請求項２のロッカーシステムによれば、請求項１と同様な効果に加え、利用を終了したロッカー装置が簡単な操作で自動的に初期状態となるので、使い勝手がきわめてよくなる。
【発明を実施するための最良の形態】
【００１４】
次に、本発明のロッカー装置及び該ロッカー装置を適用したロッカーシステムの実施形態を図面を参照して説明する。図１は本発明の実施形態のロッカーシステムの概略構成図、図２は同ロッカーシステムの要部ブロック図であり、このロッカーシステムは、複数のロッカー装置１、携帯用送受信手段としてのリストバンド２、集中制御装置としてのパーソナルコンピュータ３を備えている。各ロッカー装置１は、リストバンド２と送受信を行うための送受信部１１、ロッカーボックスを施錠及び解錠する錠装置（電気錠）１２、使用中を表示するＬＥＤ１３、マイコン等で構成された制御部１４（図２）錠及びロッカー番号１５を備えている。
【００１５】
パーソナルコンピュータ３は、このロッカーシステムを設置した施設のフロント等に配設されるものであり、このパーソナルコンピュータ３には、リストバンド２との送受信を行ってリストバンド２に記憶されているデータの読み取りと書き込みを行うためのリーダーライター３１が接続されている。また、パーソナルコンピュータ３と各ロッカー装置１は信号線４で接続されている。また、ロッカー装置１を配設している例えばロッカールームには、リストバンド２との送受信を行ってリストバンド２に記録されているロッカー番号等を表示する表示装置５が配設されている。なお、図ではリストバンド２を１個だけ示してあるが、このリストバンド２は各ロッカー装置１の数に相当する分だけあり、各リストバンド２に記憶されているキーＩＤはそれぞれ異なるコードである。また、リストバンド２は、受信回路やメモリ回路などのＩＣタグを内蔵し、その外装部分はフレキシブルな合成樹脂で形成されている。また、リーダーライター３１は、リストバンド２のキーＩＤ、ロッカーＩＤ等のデータの読み取りや、リストバンド２のロッカーＩＤの消去等の書き込み機能を有している。
【００１６】
制御部１４は、電源の投入により送受信部１１を制御してリストバンド２への電源供給のための特定電波を常に送信するとともに、送受信部１１でのリストバンド２からの受信状態を確認する。また、制御部１４は記憶手段としてＲＡＭ１４ａとＲＯＭ１４ｂを備えている。そして、そのロッカー装置１に固有のロッカーＩＤや後述の制御プログラムをＲＯＭ１４ｂに記憶しており、この制御プログラムに基づいてＲＡＭ１４ａのワーキングエリアを使用してロッカー装置１の制御を行う。なお、制御部１４は錠装置１２まわりの図示しない各種スイッチやセンサ等により当該ロッカー装置１の扉の開閉状態の検出、ソレノイドの駆動制御等により施錠／解錠の制御を行う。また、制御部１４はパーソナルコンピュータ３から信号線４及びインタフェース（Ｉ／Ｆ）１４ｃを介してリセット信号が入力されると、後述の割込み処理を実行してロッカー装置１をリセット状態とする。
【００１７】
このロッカーシステムの運用時には次のようにする。利用者がフロントで申し込むと、管理者は複数のリストバンド２のセットの中から任意のリストバンド２を取り出す。そして、パーソナルコンピュータ３の制御により所定の操作を行って、そのリストバンド２のキーＩＤをリーダーライター３１で読み取っておき、そのリストバンド２を利用者に手渡す。この読み取ったキーＩＤはパーソナルコンピュータ３で利用者の情報として記憶し、料金の課金処理や精算処理等の各種の管理情報として利用する。利用者は、受け取ったリストバンド２をロッカールーム等に持っていき、ＬＥＤ１３が消灯状態である空きロッカーの内の任意の（所望の）ロッカー装置１を選ぶ。そして、そのロッカー装置１の送受信部（アンテナ部）１１にリストバンド２を接近させることにより、ロッカー装置１にそのリストバンド２のキーＩＤを登録するとともにロッカーボックスを解錠してロッカー装置１を使用する。なお、このときリストバンド２にロッカー装置１のロッカーＩＤが書き込まれる。
【００１８】
施設の利用が終わったときは、フロントにリストバンド２を返却すると、管理者はリーダーライター３１でリストバンド２のキーＩＤ及びロッカー装置１から書き込まれたロッカーＩＤを読みとる。パーソナルコンピュータ３で、キーＩＤに基づいて精算等を行うとともに、この精算が終了すると、パーソナルコンピュータ３はその読み取ったロッカーＩＤに基づいて利用終了のロッカー装置１を特定して、そのロッカー装置１にリセット信号を出力する。これにより、ロッカー装置１は初期状態に戻る。
【００１９】
図３は実施形態の制御プログラムのメインルーチンの要部フローチャート、図４は割込み処理のフローチャートであり、同図に基づいてロッカー装置１の制御部１４の動作を説明する。なお、この実施形態では、ロッカー装置１は初期状態では解錠状態（解錠待機）の例である。また、図４の割込み処理はインタフェース１４ｃからリセット信号が入力されると実行する。
【００２０】
図３において、電源の投入等によって制御が開始されると、先ず、ステップＳ１でリセットフラグを「ＯＮ」にするとともにＲＡＭ１４ａをクリアし、ステップＳ２に進む。ステップＳ２では、送受信部１１でリストバンド２のＩＣタグのリード（読み取り）が有るかを監視する。ＩＣタグのリードが有れば、ステップＳ３でリセットフラグの状態を判定し、リセットフラグが「ＯＮ」であればステップＳ４に進み、リセットフラグが「ＯＦＦ」であればステップＳ１５に進む。このリセットフラグは最初の状態及びリセット信号を入力した後に「ＯＮ」とされ、ロッカー装置１の利用を開始すると「ＯＦＦ」とされる。したがって、ステップＳ４〜Ｓ１４はリストバンド２のキーＩＤを登録するときの処理であり、ステップＳ１５〜Ｓ２３はロッカー装置の利用状態の処理である。
【００２１】
ステップＳ４では、リードしたＩＣタグ（リストバンド２）が未使用タグであるか否かを判定し、判定がＹｅｓであればステップＳ６に進み、判定がＮｏであればステップＳ５でエラー音を発してステップＳ２に戻る。なお、この未使用タグであるか否かの判定は、例えばロッカーＩＤが書き込まれているか否か、あるいは使用状態か未使用状態かを示す情報をリストバンドのＩＣタグに書き込む等の処理等により、それぞれ判定することができる。
【００２２】
未使用タグであった場合は、ステップＳ６で、リストバンド２のＩＣタグのキーＩＤを読み取るとともにそのキーＩＤをＲＡＭ１４ａに記憶（登録）し、ステップＳ７に進む。ステップＳ７では、リストバンド２のＩＣタグのメモリにＲＯＭ１４ｂ等に記憶（あるいは図示しないディップスイッチ等で設定された）当該ロッカー装置１のロッカーＩＤを書き込み、さらに、リセットフラグを「ＯＦＦ」」にしてステップＳ８に進む。ステップＳ８では、錠装置１２が施錠状態であるかを判定し、施錠状態でなければステップＳ１０に進み、施錠状態であればステップＳ９で錠装置１２を解錠してステップＳ１０に進む。なお、この実施形態は解錠待機であるが、ステップＳ８，Ｓ９の処理は、利用者がロッカー装置を施錠して利用を終了した場合に対応するための処理である。ステップＳ１０ではロッカーボックスの扉が閉じられるかを監視し、扉が閉じられれば、ステップＳ１１でリストバンド２のＩＣタグのキーＩＤを読み取り、ステップＳ１２でその読み取ったキーＩＤがＲＡＭ１４ａに記憶（登録）されているキーＩＤと一致するか否かの照合を行い、一致しなければステップＳ１１に戻る。一致すれは、ステップＳ１３で錠装置１２を施錠するとともに、ステップＳ１４でＬＥＤ１３を点灯して使用中とし、ステップＳ２に戻る。
【００２３】
以上の処理により、利用者がロッカー装置１にリストバンド２を近づければ、そのリストバンド１のキーＩＤがロッカー装置１に登録されるとともに、ロッカー装置１のロッカーＩＤがリストバンド２に書き込まれる。また、リセットフラグは「ＯＦＦ」となる。そして、扉を開けて荷物を預け、扉を閉めてリストバンド２をロッカー装置１に近づけると（送受信部１１にかざすと）施錠され、ロッカー装置１は利用状態となる。また、施錠するときにリストバンド２を用いるので、このリストバンド２をロッカー内に置いたまま施錠してしまうことを防止することができる。
【００２４】
利用状態で利用者がロッカー装置１の荷物を取り出そうとするとき、リストバンド２をロッカー装置１に近づけると、ステップＳ２で「リード有り」となり、ステップＳ３でリセットフラグが「ＯＦＦ」と判定されリ、ステップＳ１５に進む。ステップＳ１５では、リストバンド２のＩＣタグのキーＩＤを読み取り、ステップＳ１６で、その読み取ったキーＩＤがＲＡＭ１４ａに記憶されている（登録されている）キーＩＤと一致するか否かの照合を行い、一致しなければステップＳ１７でエラー音を発してステップＳ２に戻る。一致すればステップＳ１８で錠装置１２を解錠してステップＳ１９に進む。
【００２５】
ステップＳ１９では、所定秒数内に扉が開けられるかを判定し、判定がＮｏならステップＳ２３で錠装置１２を施錠してステップＳ２に戻る。判定がＹｅｓなら（扉が開けられれば）、ステップＳ２０で扉が閉じられるのを監視し、扉が閉じられれば、ステップＳ２１でリストバンド２のＩＣタグのキーＩＤを読み取り、ステップＳ２２でその読み取ったキーＩＤがＲＡＭ１４ａに記憶（登録）されているキーＩＤと一致するか否かの照合を行い、一致しなければステップＳ２１に戻り、一致すれはステップＳ２３で錠装置１２を施錠してステップＳ２に戻る。
【００２６】
以上の処理により、利用者は、ロッカー装置１にリストバンド２を近づけて解錠し、扉を開けることができる。また、荷物の一部取り出しや入れ替え等を行い、扉を閉めてリストバンド２をロッカー装置１に近づけると施錠することができる。なお、利用者は、リストバンド２を表示装置５（図１参照）に近づけることにより、このリストバンド２に書き込まれているロッカーＩＤが読み取られ、対応するロッカー装置１のロッカー番号が表示装置５に表示されるので、使用してるロッカー装置１を容易に判断することができる。
【００２７】
また、利用を終了したときは、扉をあけたままの状態でも、扉を閉めて施錠した状態でもよく、リストバンド２をフロント等に返却する。これにより、フロントではリーダーライター３１及びパーソナルコンピュータ３を操作して精算処理を行い、返却されたリストバンド２から読み取ったキーＩＤあるいはロッカーＩＤから利用者情報を判定し、精算を行うことができる。このとき、パーソナルコンピュータ３は、読み取ったロッカーＩＤに基づいて対応するロッカー番号を判定し、そのロッカー装置１に対してリセット信号を出力する。これにより、そのロッカー装置１は図４の割込み処理を行う。なお、リストバンド２に記憶されているロッカーＩＤは消去する。
【００２８】
図４の割込み処理では、ステップＳ３１でＲＡＭ１４ａに記憶（登録）されているキーＩＤをクリアし、ステップＳ３２でリセットフラグを「ＯＮ」にする。そして、ステップＳ３３で錠装置１２を解錠し、ステップＳ３４でＬＥＤ１３を消灯して空き状態とし、所定の元のルーチンに復帰する。これにより、ロッカー装置１は初期状態に戻り、さらに使用中であったリストバンド２を再度貸し出すことができる。
【００２９】
図５は他の実施形態に係るフローチャートであり、ロッカーの掃除係等が専用のリストバンド２を用いてロッカーの掃除を行えるようにした例である。このフローチャートは図４のステップＳ４及びステップＳ５の間、ステップＳ１６及びステップＳ１７の間（破線の丸で示した箇所）に挿入する処理である。
【００３０】
チャートを図４のステップＳ４１では、ＩＣタグのキーＩＤが掃除用の（特定の）キーＩＤであるかを判定し、判定がＮｏであればステップＳ５あるいはステップＳ１７に進んでエラー音を発してステップＳ２に戻る。判定がＹｅｓであれば、ステップＳ４２で錠装置１２を解錠し、ステップＳ４３でロッカーボックスの扉が開けられるかを監視し、扉が閉じられれば、ステップＳ４４で扉が閉じられるかを監視し、扉が閉じられればステップＳ４５で錠装置１２を施錠する。次に、ステップＳ４６でＲＡＭ１４ａに記憶（登録）されているキーＩＤをクリアし、ステップＳ４７でリセットフラグを「ＯＮ」にする。そして、ステップＳ４８でＬＥＤ１３を消灯して空き状態とし、ステップＳ２に戻る。
【００３１】
以上の処理により、例えば、ロッカー装置１の利用が終了し、リセット信号により再度利用できる状態（待機状態）となっているとき、すなわち、図３のステップＳ２→Ｓ３→Ｓ４のフローとなるとき、掃除用の専用のリストバンド２を用いてロッカー装置１の掃除等を行った場合でも、図４のステップＳ４７でリセットフラグが「ＯＮ」とされることにより、そのまま待機状態を維持することができる。
【００３２】
以上のように、各ロッカー装置１とパーソナルコンピュータ３は、リセット信号のみを出力するための信号線４で接続するだけでよく、簡単なシステム構成となっている。また、ロッカー装置１の利用が終了した場合に、フロントのパーソナルコンピュータ３からリセット信号を出力することにより、それまで利用されていたロッカー装置１が自動的に初期状態となって再度利用することができ、利用後の管理の手間を省くことができる。なお、リセット信号は、パーソナルコンピュータ３から自動的に出力してもよいし、ロッカー番号を確認して専用のスイッチ等を操作して対応するロッカー装置１に出力するようにしてもよい。この場合もさほど手間を要しない。
【００３３】
以上の実施形態では、リストバンド２に書き込まれたロッカー番号を表示装置５で読み取って表示するようにしているが、リストバンド２に簡単な機能を持たせて書き込まれたロッカー番号をそのリストバンド２自体に表示するようにしてもよい。
【００３４】
実施形態では携帯送受信手段としてリストバンドの例について説明したが、ＩＣカード等のその他の携帯送受信手段でもよい。
【００３５】
実施形態の制御フローでは詳細な機能は省略しているが、例えば専用のマスターＩＤ等によりロッカー装置１を強制的に解錠できるようにしてもよいし、機械式のマスターキーで解錠できるようにしてもよい。
【図面の簡単な説明】
【００３６】
【図１】本発明の実施形態のロッカーシステムの概略構成図である。
【図２】本発明の実施形態のロッカーシステムの要部ブロック図である。
【図３】本発明の実施形態に係る制御プログラムのメインルーチンの要部フローチャートである。
【図４】本発明の実施形態に係る割込み処理のフローチャートである。
【図５】本発明の他の実施形態に係るフローチャートである。
【符号の説明】
【００３７】
１      ロッカー装置
２      リストバンド（携帯送受信手段）
３      パーソナルコンピュータ（集中制御装置）
４      信号線
１１    送受信部
１２    錠装置
１４    制御部
１４ａ  ＲＡＭ（記憶手段）
１４ｂ  ＲＯＭ（記憶手段）
【図１】
2006348502.tif 000003
【図２】
2006348502.tif 000004
【図３】
2006348502.tif 000005
【図４】
2006348502.tif 000006
【図５】
2006348502.tif 000007